(57)【要約】【課題】必要に応じてガラス板上の液晶フィルムに光を部分的に透過させたり光を全く透過させないようにして所望の照度を得て、部分的な遮光効果を得るスマート型電子カーテンを提供する。【解決手段】スマート型電子カーテンの第１のガラス板１３上には、液晶フィルム１１が形成される。液晶フィルム１１には、電源３０が外付けされ、液晶フィルム１１に電気を流したり流さなかったりすることにより、液晶フィルム１１に光が透過可能な状態にしたり光が透過しない状態にしたりする。表示領域１２と電源３０との間には、コントローラ２０が接続される。コントローラ２０には、入力ユニット４０が接続される。入力ユニット４０を介してコントローラ２０で電源３０を制御し、表示領域１２をそれぞれ独立して光が透過する状態にしたり光が透過しない状態にしたりして部分的な遮光効果を得る。【選択図】図２
0003188376.tif 000002
【実用新案登録請求の範囲】
【請求項１】
第１のガラス板上には、液晶フィルムが形成され、
前記液晶フィルムには、電源が外付けされ、前記液晶フィルムに電気を流したり流さなかったりすることにより、前記液晶フィルムに光が透過可能な状態にしたり光が透過しない状態にしたりし、
前記液晶フィルムは、複数の表示領域に分割され、
前記表示領域は互いに隣接して設けられ、
前記表示領域と前記電源との間には、コントローラが接続され、
前記コントローラには、入力ユニットが接続され、
前記入力ユニットを介して前記コントローラで前記電源を制御し、前記表示領域をそれぞれ独立して光が透過する状態にしたり、光が透過しない状態にしたりして、部分的な遮光効果を得ることを特徴とするスマート型電子カーテン。
【請求項２】
前記第１のガラス板下には、第２のガラス板が配設され、
前記第１のガラス板と前記第２のガラス板との間には、前記液晶フィルムが形成されていることを特徴とする請求項１に記載のスマート型電子カーテン。
【請求項３】
前記コントローラには、第１の電力誘導コイルが接続され、
前記表示領域には、前記第１の電力誘導コイルに対応した第２の電力誘導コイルが設けられ、
前記第１の電力誘導コイルと前記第２の電力誘導コイルとの間に電力誘導が発生し、電力無線伝達を行うことを特徴とする請求項１に記載のスマート型電子カーテン。
【請求項４】
前記表示領域は、長尺状を呈し、鉛直方向で互いに平行に形成されることを特徴とする請求項１に記載のスマート型電子カーテン。
【請求項５】
前記表示領域は、長尺状を呈し、水平方向で互いに平行に形成されることを特徴とする請求項１に記載のスマート型電子カーテン。
【請求項６】
前記入力ユニットは操作ボタンであることを特徴とする請求項１に記載のスマート型電子カーテン。
【請求項７】
前記入力ユニットは複数のタッチパネルであり、
前記タッチパネルは、前記表示領域の対応した箇所にそれぞれ設けられることを特徴とする請求項１に記載のスマート型電子カーテン。
【考案の詳細な説明】
【技術分野】
【０００１】
本考案は、電子カーテンに関し、特に、液晶フィルムを複数の表示領域に分割し、これら複数の表示領域への通電の有無を制御し、ガラス板上の液晶フィルムをそれぞれ独立させて光を透過させたり透過させなくしたりして部分的な遮光効果を得るスマート型電子カーテンに関する。
【背景技術】
【０００２】
従来のカーテンは、非常に優れた遮光機能を備えて広く普及している。カーテンは、ベネシャンブラインド、ローマンシェード、プリーツスクリーンなどに分けられ、太陽光を遮る面積を制御する制御機構を有し、外部の光線が強すぎるときは大きめの面積で光を遮り、外部の光線が弱いときは小さめの面積で光を遮って環境光度を調整する。
【０００３】
科学技術の発展に伴い、電子カーテンが開発された。この電子カーテンとは、ガラス上に液晶フィルムを形成し、この液晶フィルムに通電することにより光を透過させたり透過させなくしたりして遮光効果を得ていたが、従来の電子カーテンは部分的な遮光効果を備えておらず、必要な場合、カーテンを組み合わせて使用しなければならず、使い勝手が悪かった。
【考案の概要】
【考案が解決しようとする課題】
【０００４】
本考案の目的は、必要に応じてガラス板上の液晶フィルムに光を部分的に透過させたり、光を全く透過させないようにして所望の照度を得て、部分的な遮光効果を得るスマート型電子カーテンを提供することにある。
【課題を解決するための手段】
【０００５】
上記課題を解決するために、本考案の第１の形態によれば、第１のガラス板上には、液晶フィルムが形成され、前記液晶フィルムには、電源が外付けされ、前記液晶フィルムに電気を流したり、流さなかったりすることにより、前記液晶フィルムに光が透過可能な状態にしたり、光が透過しない状態にしたりし、前記液晶フィルムは、複数の表示領域に分割され、前記表示領域は互いに隣接して設けられ、前記表示領域と前記電源との間には、コントローラが接続され、前記コントローラには、入力ユニットが接続され、前記入力ユニットを介して前記コントローラで前記電源を制御し、前記表示領域をそれぞれ独立して光が透過する状態にしたり、光が透過しない状態にしたりして、部分的な遮光効果を得ることを特徴とするスマート型電子カーテンが提供される。
【０００６】
前記第１のガラス板下には、第２のガラス板が配設され、前記第１のガラス板と前記第２のガラス板との間には、前記液晶フィルムが形成されていることが好ましい。
【０００７】
前記コントローラには、第１の電力誘導コイルが接続され、前記表示領域には、前記第１の電力誘導コイルに対応した第２の電力誘導コイルが設けられ、前記第１の電力誘導コイルと前記第２の電力誘導コイルとの間に電力誘導が発生し、電力無線伝達を行うことが好ましい。
【０００８】
前記表示領域は、長尺状を呈し、鉛直方向で互いに平行に形成されることが好ましい。
【０００９】
前記表示領域は、長尺状を呈し、水平方向で互いに平行に形成されることが好ましい。
【００１０】
前記入力ユニットは操作ボタンであることが好ましい。
【００１１】
前記入力ユニットは複数のタッチパネルであり、前記タッチパネルは、前記表示領域の対応した箇所にそれぞれ設けられることが好ましい。
【図面の簡単な説明】
【００１２】
【図１】本考案の一実施形態に係るスマート型電子カーテンの液晶フィルム及びガラス板を示す分解斜視図である。
【図２】本考案の一実施形態に係るスマート型電子カーテンを示すブロック図である。
【図３】本考案の一実施形態に係るスマート型電子カーテンの表示領域で水平配列された状態を示すブロック図である。
【図４】本考案を自動車のフロントガラスへ応用し、太陽光線を遮るときに使用するときの状態を示す模式図である。
【図５】本考案を自動車のフロントガラスへ応用し、太陽光線を部分的に遮るときの状態を示す模式図である。
【図６】本考案を自動車の窓へ応用し、窓を開いて使用するときの状態を示す模式図である。
【図７】本考案を自動車の窓へ応用し、窓は閉じるが太陽光線を遮らないように使用するときの状態を示す模式図である。
【図８】本考案を自動車の窓へ応用し、窓は閉じるが一部の太陽光線だけ遮るように使用するときの状態を示す模式図である。
【図９】本考案の他の実施形態に係るスマート型電子カーテンの入力ユニットを示す模式図である。
【図１０】本考案の他の実施形態に係るスマート型電子カーテンの液晶フィルム及びガラス板を示す分解斜視図である。
【考案を実施するための形態】
【００１３】
以下、本考案の実施形態について図に基づいて説明する。なお、これによって本考案が限定されるものではない。
【００１４】
図１及び図２を参照する。図１は、本考案の一実施形態に係るスマート型電子カーテンの液晶フィルム及びガラス板を示す分解斜視図である。図２は、本考案の一実施形態に係るスマート型電子カーテンを示すブロック図である。図１及び図２に示すように、本考案の一実施形態に係るスマート型電子カーテン１０は、少なくとも第１のガラス板１３、液晶フィルム１１、電源３０、コントローラ２０及び入力ユニット４０から構成される。
【００１５】
第１のガラス板１３は、光透過ガラスからなり、家の窓又は浴室やトイレ、オフィスの間仕切り、自動車の窓又はフロントガラスに取り付ける。第１のガラス板１３とは、フレーム体（図示せず）内に形成した完全なガラス板を指す。
【００１６】
液晶フィルム１１は、塗布方式又は貼着方式により第１のガラス板１３に取り付ける。第１のガラス板１３は、完全なガラス板又は１つのフレーム内に形成されたガラス板でもよい。液晶フィルム１１は、通電されていないときに光透過状態となる一方、通電されたときに光を透過させない状態となる特性を有する。液晶フィルム１１は、分割されて複数の表示領域１２に形成される。即ち、これら複数の表示領域１２の液晶フィルム１１は、分割方式により長尺状又は一括的に構成された長尺状に形成され、これら複数の表示領域１２が長尺状を呈するとともに互いに隣接した状態で設けられる。本実施形態の液晶フィルム１１の表示領域１２は、鉛直方向で形成されているが、必要に応じて液晶フィルム１１の表示領域１２は水平方向で形成してもよい。図３を参照する。図３に示すように、本考案の他の実施形態に係るスマート型電子カーテンには、液晶フィルム１１の表示領域１２が水平方向で形成されている。
【００１７】
電源３０は、液晶フィルム１１に外付けされる上、液晶フィルム１１へ電源を供給し、液晶フィルム１１に光が透過しない状態にする。電源３０は、商用電源、太陽電池又は電池でもよいし、無線感応式により給電したり有線接続式により給電したりしてもよい。
【００１８】
コントローラ２０は、液晶フィルム１１の表示領域１２と電源３０との間に設置され、表示領域１２にそれぞれ接続され、電源３０により表示領域１２への通電の有無を制御する。さらに詳細には、コントローラ２０により調整し、液晶フィルム１１の表示領域１２を光が透過する状態にしたり、光が透過しない状態にし、光線の入射を制御する。コントローラ２０が液晶フィルム１１に接続され、本考案では、有線式で電力供給及び制御を行っているが、勿論これだけに限定されるわけではなく、無線式で電力供給及び制御を行ってもよい。
【００１９】
入力ユニット４０は、コントローラ２０に外付けされ、コントローラ２０へ信号を送信するために用いる。コントローラ２０が信号を受信すると、複数の表示領域１２の電源３０のオン・オフを行い、これにより液晶フィルム１１の調整を行う。本実施形態において入力ユニット４０は操作ボタンであり、この操作ボタンを多段式に設定することにより、液晶フィルム１１の表示領域１２を区分けして表示してもよい。
【００２０】
ユーザは、液晶フィルム１１への光の透過を制御する場合、入力ユニット４０からコントローラ２０へ信号を送信する。コントローラ２０は、液晶フィルム１１の表示領域１２に電流を流すか否かを制御するために用いる。これにより、液晶フィルム１１の表示領域１２を制御し、光を透過させたり光を透過させなくしたりして、部分的な遮光効果を得る。さらに詳細には、ブロック性の制御方式により、従来のカーテンが調整する環境光度の機能を改善することができる上、従来のカーテンでは光が遮られて影が発生し、環境光度が不均一となっていた問題点を改善することができる。
【００２１】
図４及び図５を参照する。図４は、本考案を自動車のフロントガラスへ応用し、太陽光線を遮るときに使用するときの状態を示す模式図である。図５は、本考案を自動車のフロントガラスへ応用し、太陽光線を部分的に遮るときの状態を示す模式図である。図４及び図５に示すように、本考案の一実施形態に係るスマート型電子カーテンは、電子カーテン１０の液晶フィルム１１がフロントガラス５０に取り付けられ、液晶フィルム１１の複数の表示領域１２が長尺状に形成され、互いに隣接してフロントガラス５０上に水平方向で設置され、入力ユニット４０により表示領域１２を光透過状態にするか否かを制御し、車両を運転する際、太陽光線を遮ることができる。この構成により、ユーザは、入力ユニット４０を介するだけで表示領域１２を制御して太陽光を遮る効果を得ることができる上、従来、自動車を運転する場合、手動でサンバイザーを操作しなければならなかった従来の欠点を改善することができる。
【００２２】
図６〜図８を参照する。図６は、本考案を自動車の窓へ応用し、窓を開いて使用するときの状態を示す模式図である。図７は、本考案を自動車の窓へ応用し、窓は閉じるが太陽光線を遮らないように使用するときの状態を示す模式図である。図８は、本考案を自動車の窓へ応用し、窓は閉じるが一部の太陽光線だけ遮るように使用するときの状態を示す模式図である。図６〜図８に示すように、自動車の側門７０には、ウィンドウ６０が設けられる。ウィンドウ６０内には第１のガラス板１３が設けられる。第１のガラス板１３の外側表面には、液晶フィルム１１が貼着される。液晶フィルム１１には、コントローラ２０が取り付けられる。コントローラ２０を液晶フィルム１１に接続する方式は、無線式の電力供給及び制御である。即ち、コントローラには、第１の電力誘導コイル２１が接続される。これらの表示領域には、第１の電力誘導コイル２１に対応して第２の電力誘導コイル２２が設けられる。この構成により、第１の電力誘導コイル２１と第２の電力誘導コイル２２との電力誘導により電気を無線伝送することができる。コントローラ２０の第１の電力誘導コイル２１は、自動車の側門７０の中間内側に配設され、第２の電力誘導コイル２２は、液晶フィルム１１上に対応して配設され、第１の電力誘導コイル２１と第２の電力誘導コイル２２とを対応させることにより、電力誘導を発生させて電力無線伝送を行う。また、電力の伝送方式は、こられ複数の表示領域１２を光透過状態にするか否かをスムーズに制御するため、太陽光線を遮ることができるだけでなく、適宜照明効果を得て、ユーザは必要に応じて光線を適宜調整する表示ブロックを制御する。このような方式により、従来、太陽光線を遮る自動車の断熱シールは光度を調整する機能を備えていないという従来技術の問題点を改善することができる。
【００２３】
本考案の入力ユニット４０は、押しボタン以外に、タッチセンサ式、無線遠隔制御又はセンサによる制御でもよい。また図９に示すように、本考案の他の実施形態に係るスマート型電子カーテンの入力ユニット４０のタッチセンサ方式は、多数のタッチパネル４１の表示領域１２の箇所に対応し、ユーザは、手でタッチパネル４１に触れて電源のオン・オフ信号を入力することができる。即ち、手で触れることにより表示領域１２で表示する面積ブロックの多寡を制御して光度を調整する機能を有する。無線遠隔制御方式は、赤外線、レーザ、ブルートゥースなどの方式により信号を送信し、液晶フィルム１１の表示領域１２に光を透過させるか否かを制御する。感知方式は、人体感知、動作感知、温度感知及び輝度感知を含み、感知信号を伝達することにより、液晶フィルム１１に光を透過させるか否かを制御する。
【００２４】
図１０を参照する。図１０は、本考案の他の実施形態に係るスマート型電子カーテンの液晶フィルム及びガラス板を示す分解斜視図である。図１０に示すように、本考案の他の実施形態に係るスマート型電子カーテンは、第１のガラス板１３下に第２のガラス板１４が配設される。液晶フィルム１１は、第１のガラス板１３と第２のガラス板１４との間に設けられ、第１のガラス板１３と第２のガラス板１４とを液晶フィルム１１上にそれぞれ貼着して液晶フィルム１１を保護し、液晶フィルム１１に物が当たって損傷することを防ぐ。
【００２５】
ここで本考案の入力ユニット４０は、操作ボタンである上、タッチセンサ式、無線遠隔制御又はセンサにより制御する。図９に示すように、タッチセンサ式は、多数のタッチパネル４１をそれぞれ対応するように表示領域１２の箇所へ設置し、ユーザの手がタッチパネル４１に触れると、複数の表示領域１２で表示する面積ブロックの多寡を制御して光度を調節することができる。無線遠隔方式は、赤外線、レーザ、ブルートゥースなどの方式により信号を送信し、液晶フィルム１１の表示領域１２に光を透過させるか否かを制御する。また、感知方式は、人体感知、動作感知、温度感知及び輝度感知を含み、この感知信号の伝達方式により、液晶フィルム１１に光を透過させるか否かを制御する。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１０  電子カーテン
１１  液晶フィルム
１２  表示領域
１３  第１のガラス板
１４  第２のガラス板
２０  コントローラ
２１  第１の電力誘導コイル
２２  第２の電力誘導コイル
３０  電源
４０  入力ユニット
４１  タッチパネル
５０  フロントガラス
６０  ウィンドウ
７０  側門
【図１】
0003188376.tif 000003
【図２】
0003188376.tif 000004
【図３】
0003188376.tif 000005
【図４】
0003188376.tif 000006
【図５】
0003188376.tif 000007
【図６】
0003188376.tif 000008
【図７】
0003188376.tif 000009
【図８】
0003188376.tif 000010
【図９】
0003188376.tif 000011
【図１０】
0003188376.tif 000012